(57)【特許請求の範囲】
【請求項１】
パネル体を構成する表裏面板に貫設した空間部にガラス等の板体を嵌装して窓部を形成するに、上記空間部を表裏面板間に内設した窓フレームで区画する一方、該窓部は上記表裏面板の縁部を互いに見込み方向に対向して折曲した見込面部と、該見込面部先端に設けられる係止片とで構成し、
前記窓フレームには、前記板体の縁部が嵌入するガラス嵌入溝が形成され、
前記係止片は、前記ガラス嵌入溝内に折曲することで前記窓フレームに係止し、
前記ガラス嵌入溝には、前記折曲された係止片と、ガラス嵌入溝に嵌入する前記板体の縁部との間に位置して、板体を支持するガラスビードが嵌装されていることを特徴とするパネル体の窓構造。
【請求項２】
上記係止片は、上記見込面部から突成した幅狭の支承部と該支承部の先端側に形成した幅広の係止部とで構成されていることを特徴とする請求項１記載のパネル体の窓構造。
【発明の詳細な説明】
【技術分野】
【０００１】
本発明は、建築用ドアや間仕切り等のパネル体に設けられる窓部に係り、とりわけ防火用パネル体の窓部において火炎による熱影響が少なく優れた防火性を有し、外観上もすっきりとしたパネル体の窓構造の技術分野に属するものである。
【背景技術】
【０００２】
従来、ドアや間仕切り等のパネル体に孔部を穿設し、該孔部にガラス板等の板状体を嵌装して採光を得ることができるようにした窓付きパネルが提唱されており、このものは、表面板の中央部に開口窓を開設し、該開口窓に沿って表面板の内部に窓枠が設けられている。そして、表面板を前記窓枠に沿って内側に折曲するとともに窓枠の中央に沿ってガラス板の周縁を入れる溝が設けられている。（特許文献１）
【特許文献１】特開平１０−１１５１５５号公報
【発明の開示】
【発明が解決しようとする課題】
【０００３】
ところが、上記特許文献１に示すものは、表面板を開口窓の窓枠に沿わせて内側に折曲することにより窓枠が表面板で被覆されるので外観上優れているものの、
火災時においては温度上昇をうけて表面板が熱伸長する結果、前記折曲部位が窓枠に対して波打状に変形したり表面板の反り等によって窓枠と折曲部位の間に間隙が発生し、該間隙を通じて火炎が浸入することとなってドア本体自体を損傷する恐れがあった。また、前記折曲部位の波打や反り等の変形によりガラス板を保持するためのパッキンが浮き上がったりして溝から外れてしまう恐れもあった。
【課題を解決するための手段】
【０００４】
本発明は、叙述の如き実情に鑑みこれらの課題を解決することを目的として創作されたものであって、請求項１に係る発明は、パネル体を構成する表裏面板に貫設した空間部にガラス等の板体を嵌装して窓部を形成するに、上記空間部を表裏面板間に内設した窓フレームで区画する一方、該窓部は上記表裏面板の縁部を互いに見込み方向に対向して折曲した見込面部と、該見込面部先端に設けられる係止片とで構成し、前記窓フレームには、前記板体の縁部が嵌入するガラス嵌入溝が形成され、前記係止片は、前記ガラス嵌入溝内に折曲することで前記窓フレームに係止し、前記ガラス嵌入溝には、前記折曲された係止片と、ガラス嵌入溝に嵌入する前記板体の縁部との間に位置して、板体を支持するガラスビードが嵌装されていることを特徴とするものである。
また、請求項２に係る発明は、請求項１の発明において上記係止片は、上記見込面部から突成した幅狭の支承部と該支承部の先端側に形成した幅広の係止部とで構成されていることを特徴とするものである。
【発明の効果】
【０００５】
請求項１の発明とすることにより、表裏面板の縁部を互いに対向して見込み方向に折曲した見込面部と表裏面板間に内設した窓フレームとの間に隙間の発生を防止し、また火災時の熱影響を受けて見込面部が浮き上がってしまうような事態が回避され熱影響の少ない優れた防火性を有するものである。
また、請求項２の発明とすることにより、幅狭の支承部を曲げることで係止片の折曲作業を小さい力で行うことができてその作業効率が著しく向上するものである。
【発明を実施するための最良の形態】
【０００６】
つぎに、本発明の実施の形態を図面に基づいて説明する。
図において、１は鋼板製のドアパネルであって、該ドアパネル１は薄板鋼板から成る表面板２と裏面板３とを離間対設し、該対設空間にハニカムコア等の芯材１ａを介装することにより方形状に形成されている。また、ドアパネル１には上記表面板２と裏面板３を貫設してなる空間部Ｓにガラス板Ｇを嵌装した窓部４が設けられており、これによって室内側に光を取り入れられるようにした窓付きパネルとして構成されている。
【０００７】
窓部４は、表面板２と裏面板３を貫通して形成した縦長長方形状の貫通穴の周縁を、表面板２と裏面板３との間に内装した一対の左右窓フレーム７，７および上下窓フレーム８，８を配設し、これら左右上下の窓フレーム７，８で区画される空間部Ｓが形成されている。
左右窓フレーム７は、表面板２に沿って延設した外側辺７ａとドアパネル１の見込み幅略中間部に位置し外側辺７ａと略平行状に対設した中間辺７ｃと、これら両辺の芯材１ａ側端部同志を外側連結辺７ｂで連結して断面視略コ字状のガラス嵌入溝７を形成し、さらに中間辺７ｃ先端と裏面板３に沿って延設した内側辺７ｅ先端とを内側連結辺７ｄを介して連結することで断面略Ｓ字状に形成されている。
一方、上下窓フレーム８は、表面板２に沿って延設した外側辺８ａと裏面板３に沿って延設した内側辺８ｃとの端部同志をドアパネル１の見込み方向に設けた連結辺８ｂで連結することで断面略Ｚ状に形成されている。
【０００８】
１０は押縁であって、該押縁１０は離間対設した一対の起立片１０ａ，１０ａの端部同志を連結片１０ｂで連結して断面視略コ字状に形成され、上下窓フレーム８の連結辺８ｂに螺子１１により取り外し可能に設けられており、押縁１０と外側辺８ａとのあいだで左右方向にガラス嵌入溝１２を形成するようになっている。
これによりガラス嵌入溝１２と左右窓フレーム７に形成したガラス嵌入溝９とで窓部４の四周に連続する溝部が形成されている。
【０００９】
図４は、裏面板３の窓部の加工状態図であって、窓部４が形成される空間部Ｓが打ち抜き加工されるとともに、該空間部Ｓを形成する裏面板３の縁部を裏面側に向けて折曲加工することによって上下左右に見込み面部３ｂがそれぞれ形成され、さらに左右に対向する見込み面部３ｂの先端には上下方向所定間隔を存して係止片６がそれぞれ突成されている。
尚、見込み面部３ｂのうち四隅に位置する部位は、打ち抜き加工する際に予め切り欠き部（Ｃ）が施されており、見込み面部３ｂの折曲の際に該部位で皺が発生するのを防止し、曲げ加工の容易性を確保するようになっている。
一方、表面板２の窓部の加工は、図５に示すように、裏面版３と同様に空間部Ｓを形成する表面板２の縁部を裏面側に向けて打ち抜き折曲加工することによって上下左右に見込み面部２ｂがそれぞれ形成され、上下および左右に対向する見込み面部２ｂの先端には所定間隔を存して係止片５がそれぞれ突成されている。
【００１０】
係止片５および６は表面板２と裏面板３とで同一形状に形成されているため、係止片６の場合を図６（Ａ）に基づいて説明する。
係止片６は、支承部６ｂと該支承部６ｂ先端に形成された係止部６ａとで構成されており、係止部６ａは見込み面部３ｂの先端に離間して突成した二条の支承部６ｂ，６ｂで支持するように形成されているが、係止部６ａの幅Ｗに対して支承部６ｂの幅ｗが小さい寸法に設定して支承部６ｂを人力による小さな力で折曲することができるようになっている。
尚、係止片６は図６（Ｂ）に記載したように係止部６ａを一条の支承部６ｂで支持するようにして係止片６´としてもよいことは勿論であって、特に支承部６ｂの本数を制限するものではなく、要は小さな力で折曲することができるようなものであればよい。
【００１１】
表面板２は窓部４において、見込み面部２ｂが上下左右の窓フレーム７，８の外側辺７ａ，８ａの先端面を覆い隠すように設けられ、さらに支承部５ｂを外側辺７ａ，８ａ側に向けて折曲することにより係止部５ａが外側辺７ａ，８ａ先端側に係止されて、表面板２が外側辺７ａ，８ａからドアパネル１の見込み方向に離隔することがないように構成されている。
一方、裏面板３は、窓部４の左右方向において左右の見込み面部３ｂが窓左右フレーム７の内側連結辺７ｄに沿って設けられ、さらに支承部６ｂを中間辺７ｃ側に向けて折曲することにより係止部６ａが中間辺７ｃに係止されるように構成されると共に、上下方向においては、裏面板３に形成した見込面部３ｂが上下窓フレーム８の連結辺８ｂに沿って当てがわれ、その上に装着した押縁１０を螺子１１により固定することによって見込面部３ｂは、連結辺６ｂと押縁１０により挟持状に取り付けられ、これによって裏面板３は上下左右の窓フレーム７，８の内側辺７ｅ，８ｃからドアパネル１の見込み方向に離隔することがないように構成されている。
ガラス嵌入溝９，１２には、空間部Ｓを塞ぐガラス板Ｇがその四周縁部を嵌入され、該嵌入縁部の前後を難燃性材料で形成したガラスビード１３で支持することにより嵌装されている。
【００１２】
叙述の如く構成した本発明に係る窓構造は、ドアパネル１を構成する表裏面板２，３に形成した係止片５，６が窓部を構成する上下左右の窓フレーム７，８に係止するように構成したので、火炎時よる温度上昇により窓部において表裏面板２，３が上記窓フレーム７，８から離隔したり浮き上がってしまうような事態が回避され優れた防火性を有するものである。
また、係止片の折曲作業は幅狭の支承部を曲げることで小さい力で行うことができ、その作業効率が著しく向上するものである。
【図面の簡単な説明】
【００１３】
【図１】（Ａ）  ドアパネルの外観図である。        （Ｂ）  同上の内観図である。
【図２】（Ａ）  図１のＡ−Ａ断面図である。        （Ｂ）  同上の要部拡大図である。
【図３】（Ａ）  図１のＢ−Ｂ断面図である。        （Ｂ）  同上の要部拡大図である。
【図４】裏面板の窓部加工状態を示す斜視図である。
【図５】表面板の窓部加工状態を示す斜視図である。
【図６】（Ａ）  裏面板の係止片を示す拡大図である。        （Ｂ）  係止片の他の実施形態を示す拡大図である。
【符号の説明】
【００１４】
１      ドアパネル
２      表面板    
２ａ    見付面部
２ｂ    見込面部
３      裏面板
３ａ    見付面部
３ｂ    見込面部
４      窓部
５，６  係止片
５ａ，６ａ  係止部
７      左右窓フレーム
８      上下窓フレーム
１０      押縁  
【図１】
0004937890.tif 000002
【図２】
0004937890.tif 000003
【図３】
0004937890.tif 000004
【図４】
0004937890.tif 000005
【図５】
0004937890.tif 000006
【図６】
0004937890.tif 000007